(57)【要約】      （修正有）【課題】金属、合成樹脂製の製本用リングに代わる、厚紙製とじ具。【解決手段】腰のある厚紙を楕円形に２つ並べて型抜きし、それぞれの楕円の一部に製本する紙を通す切込み１をつける。切込み部分から製本する紙を入れ、２つの楕円を貼り合わせることで製本は完成する。【選択図】図２
0003117198.tif 000002
【実用新案登録請求の範囲】
【請求項１】
厚紙とじ具
【請求項２】
厚紙とじ具による製本
【考案の詳細な説明】
【技術分野】
【０００１】本考案は厚紙とじ具による製本に関する技術である。
【背景技術】
【０００２】従来のカレンダーやリング製本においては、合成樹脂もしくは金属のリングをとじ具として用いられてきた。
【考案の開示】
【考案が解決しようとする課題】
【０００３】上記製本において用いられる、とじ具は廃棄の際、不燃物として製本物より外し、分別処理する必要があった。また、製本時にも大仕掛けな機械が必要な場合もあり、多品種小ロット対応には不適であった。
【課題を解決するための手段】
【０００４】従来用いられていたリングタイプのとじ具を厚紙にすることで、使用後に分別せずにそのまま焼却処分が可能であり、形状も簡単なため、特別な機械を必要とせずに製本ができるようになる。
【考案の効果】
【０００５】とじ具そのものの厚さが２から３ミリと、従来のリングに比較し、大幅に薄いため、製本されたものがかさばらない。紙をとじた場合すべて紙となるため、リサイクル時に分別の手間が要らずリサイクル効果を高める。構造がシンプルなため、簡単な手作業でとじることができる。
【考案を実施するための最良の形態】
【０００６】本考案で用いるとじ具は、腰のある厚紙を楕円形に２つ並べて型抜きしたものを貼り合わせて用いる。その１辺は切り離すことなくつながっており、中央部は、外辺よりも小さく楕円形の穴を型抜きしてある。２つ並んだ楕円の厚紙には、それぞれ斜めに切込みがあり、この切込みより、製本する紙を入れる。切込み線は２つの楕円を向かい合わせるように張り合わせたとき重ならないように上下にずらしてある。製本する紙を本とじ具に差し込み、貼り合わせることにより製本は完了する。楕円形部分を張り合わせるには、シールもしくは自着性接着剤を用いる。
【実施例】
【０００７】カレンダー、ノート、メモ帳など。
【図面の簡単な説明】
【０００８】
【図１】本考案の製作法を示した図である。
【０００９】
【図２】本考案の使用法を示した図である。
【００１０】
【図３】本考案の使用例を示した図である。
【符号の説明】
【００１１】１切込み部分である。
【図１】
0003117198.tif 000003
【図２】
0003117198.tif 000004
【図３】
0003117198.tif 000005
【手続補正書】
【提出日】平成17年10月11日(2005.10.11)
【手続補正１】
【補正対象書類名】実用新案登録請求の範囲
【補正対象項目名】全文
【補正方法】変更
【補正の内容】
【実用新案登録請求の範囲】
【請求項１】
周囲に外辺部が形成されるようにして中央部に穴を設けた外形の一致する部材を重ねることにより綴じ具を形成するものにあって、該外辺部に、その位置が重ならないように上下方向にずらして切り込みを形成し、該切り込みを紙片を挿入するための綴じ込み部としてなることを特徴とする厚紙製綴じ具。
【請求項２】
外辺部を構成する各々の内辺部がその縁相互において連結されて連結部とし、該連結部を折り曲げ重ね合わせることにより綴じ具を形成してなることを特徴とする請求項１に記載の厚紙製綴じ具。
【手続補正２】
【補正対象書類名】明細書
【補正対象項目名】全文
【補正方法】変更
【補正の内容】
【考案の詳細な説明】
【技術分野】
【０００１】
本考案は、製本を行なう場合などのように、紙片を綴じ込むのに使用する厚紙製綴じ具に関する技術である。
【背景技術】
【０００２】
従来より、カレンダーやリング製本などの基となる紙片を自由に捲ることができる綴じ込み手段として、合成樹脂製もしくは金属製のリング状綴じ具が使用されてきた。
【考案の開示】
【考案が解決しようとする課題】
【０００３】
適数枚の紙片を綴じ込むのに使用した従来の綴じ具は、その綴じ具が使用されている被綴じ込み物の廃棄の際、該綴じ具は不燃物なので当該被綴じ込み物より外し、分別処理する必要があった。また、製本を行なうときには大仕掛けな機械を使用して被綴じ込み物を綴じ込むこともあり、多品種小ロットのものの対応には適していなかった。
【課題を解決するための手段】
【０００４】
本考案は、従来より用いられていた合成樹脂製もしくは金属製のリング状綴じ具に替えて、厚紙を重ね合わせる簡単な手段により綴じ具を製造することができ、且つ被綴じ込み物の使用後に廃棄する場合、それらと綴じ具とを分別することなくそのままの状態で処分することが可能であり、更に形状もシンプルなため、特別な機械を必要としないで紙片の製本に適することができるようにしたもので、その具体的な手段は、周囲に外辺部が形成されるようにして中央部に穴を設けた外形の一致する部材を重ねることにより綴じ具を形成するものにあって、該外辺部に、その位置が重ならないように上下方向にずらして切り込みを形成し、該切り込みを紙片を挿入するための綴じ込み部としてなる厚紙製綴じ具を特徴とするものである。
また、外辺部を構成する各々の内辺部がその縁相互において連結されて連結部とし、該連結部を折り曲げ重ね合わせることにより綴じ具を形成してなる厚紙製綴じ具を特徴とするものである。
【考案の効果】
【０００５】
綴じ具本体の厚さを２〜３ｍｍとし、従来のリング状のものと比較して薄いため、該綴じ具を使用して紙片を製本したものがかさばることがない。
また、紙片を綴じた場合、綴じ具を含めすべてが紙製となるため、リサイクル時に分別の手間が要らず、リサイクルの効率を高めることが可能となった。
更に、綴じ具の構造がシンプルなため、簡単な手作業で紙片を綴じ込むことが可能となった。
【考案を実施するための最良の形態】
【０００６】
以下、本考案の厚紙製綴じ具を図面に沿って説明する。
【実施例】
【０００７】
本考案の厚紙製綴じ具１は、腰のある厚紙を楕円形に２つ並べて型抜きしたものを貼り合わせて用いる。図１に示すように、対向する内辺部２、２´は切り離すことなく連結して連結部３とし、各々の中央部４、４´は、外辺部５、５´により構成される楕円形よりも小さな楕円形の穴を型抜きしている。内辺部２、２´を連結部３により連結している各々の楕円形の外辺部５、５´には、それぞれ斜め方向に切り込み６、６´を形成している。該切り込み６、６´は２つの楕円形を該連結部３を中心として折り曲げて重ね合わせたときに該切り込み６、６´位置が重ならないように上下にずらしてある。
【０００８】
紙片Ａを綴じ込むには、図２に示すように、該連結部３を中心として折り曲げて重ね合わせ、外辺部５、５´の該切り込み６、６´より紙片Ａを挿入し、綴じ込むことになる。綴じ込みが終了した時点において、上下方向にずらして形成している切り込み６、６´により生じる接合部７、７´を貼り合わせることにより厚紙製綴じ具１が閉鎖され、製本が完成する。内辺部２、２´及び接合部７、７´を含む外辺部５、５´により構成される相互の楕円形の対向する面を貼り合わせるには、シールもしくは自着性接着剤を用いる。
【０００９】
上記本考案の厚紙製綴じ具によって紙片を綴じ込めることにより、各種カレンダー、ノート、メモ帳等を捲り自在に完成することができる。
【図面の簡単な説明】
【００１０】
【図１】本考案の厚紙製綴じ具の展開図。
【図２】本考案の厚紙製綴じ具により紙片を綴じ込む状態を示す斜視図。
【図３】（ａ）〜（ｄ）本考案の厚紙製綴じ具を使用した例を示す図。
【符号の説明】
【００１１】
１          厚紙製綴じ具
２、２´ 内辺部
３ 連結部
４、４´ 中央部
５、５´ 外辺部
６、６´    切り込み
７、７´ 接合部
【手続補正３】
【補正対象書類名】図面
【補正対象項目名】全図
【補正方法】変更
【補正の内容】
【図１】
0003117198.tif 000006
【図２】
0003117198.tif 000007
【図３】
0003117198.tif 000008